(57)【要約】【課題】  個々のファンがキャラクターに抱いている特有の感情に対し、コンテンツ提供事業者がファンの要望に応えることが可能な関係設定装置、写真撮影装置、キャラクターコンテンツ管理システム、印刷物、関係設定方法、及びプログラムを提供する。【解決手段】  キャラクターコンテンツ管理システム１において、写真撮影装置２はユーザとキャラクターとの関係の設定を受け付け、その関係を示す印刷物（認定届７１）を出力してユーザに提供する。また、ネットワーク９を介して接続されたサーバ３に関係設定情報８０を送信し、登録する。この印刷物７１や登録された関係設定情報８０を用いることにより、ユーザは指定したキャラクターと特定の関係であることの認定を受けることができ、特別のサービスを受けることが可能となる。【選択図】図１
2020181376.tif 000002
【特許請求の範囲】
【請求項１】
ユーザ固有の情報であるユーザ識別情報を取得するユーザ情報取得手段と、
ユーザとキャラクターとの関係を設定する関係設定手段と、
前記関係設定手段により設定された前記ユーザと前記キャラクターとの関係を示す情報を記憶する記憶手段と、
前記関係設定手段により設定された前記ユーザと前記キャラクターとの関係を示す情報を出力する出力手段と、
を備えることを特徴とする関係設定装置。
【請求項２】
前記関係設定手段は、
前記ユーザから見た前記ユーザと前記キャラクターとの関係を第１関係情報として設定することを特徴とする請求項１に記載の関係設定装置。
【請求項３】
前記関係設定手段は、更に、
前記キャラクターから見た前記ユーザと前記キャラクターとの関係を第２関係情報として設定することを特徴とする請求項２に記載の関係設定装置。
【請求項４】
前記関係設定手段は、更に、
前記ユーザが任意に指定する情報を前記ユーザと前記キャラクターとの関係を示す情報に付加して設定することを特徴とする請求項２または請求項３に記載の関係設定装置。
【請求項５】
前記出力手段は、
前記ユーザと前記キャラクターとの関係を示す情報を印刷することを特徴とする請求項１から請求項４のいずれかに記載の関係設定装置。
【請求項６】
前記出力手段は、
前記ユーザと前記キャラクターとの関係を示す情報を電子書類として出力することを特徴とする請求項１から請求項５のいずれかに記載の関係設定装置。
【請求項７】
前記出力手段は、
前記ユーザと前記キャラクターとの関係を示す情報を記録媒体に書き込むことを特徴とする請求項１から請求項６のいずれかに記載の関係設定装置。
【請求項８】
前記ユーザ情報取得手段は、
ユーザの顔画像を前記ユーザ識別情報として取得することを特徴とする請求項１から請求項７のいずれかに記載の関係設定装置。
【請求項９】
ユーザを撮影する撮影手段と、
前記撮影手段により撮影されたユーザの画像をユーザ固有の情報であるユーザ識別情報として取得するユーザ情報取得手段と、
前記ユーザとキャラクターとの関係を設定する関係設定手段と、
前記関係設定手段により設定された前記ユーザと前記キャラクターとの関係を示す情報を前記ユーザの画像とともに印刷する印刷手段と、
を備えることを特徴とする写真撮影装置。
【請求項１０】
写真撮影装置と、サーバとがネットワークを介して通信接続されたキャラクターコンテンツ管理システムであって、
前記写真撮影装置は、
ユーザ固有の情報であるユーザ識別情報を取得するユーザ情報取得手段と、
ユーザとキャラクターとの関係を設定する関係設定手段と、
前記関係設定手段により設定された前記ユーザと前記キャラクターとの関係を示す情報を前記サーバに送信する送信手段と、を備え、
前記サーバは、
前記写真撮影装置から送信された前記ユーザと前記キャラクターとの関係を示す情報を受信し、記憶する記憶手段を備える
ことを特徴とするキャラクターコンテンツ管理システム。
【請求項１１】
前記サーバは、
ネットワークを介して通信接続されたユーザ端末に対して、前記記憶手段に記憶された前記ユーザと前記キャラクターとの関係を示す情報を送信し、電子書類として出力させる電子書類出力手段を更に備えることを特徴とする請求項１０に記載のキャラクターコンテンツ管理システム。
【請求項１２】
ネットワークを介して通信接続されたサービス受付端末を更に備え、
前記サービス受付端末は、
印刷物から前記ユーザと前記キャラクターとの関係を示す情報を取得する取得手段と、
取得した情報に基づいて、前記サーバに対して前記ユーザ及び前記キャラクターに関する情報を要求する情報取得要求手段と、を備え、
前記サーバは、前記サービス受付端末からの情報取得要求に応じて前記ユーザ及び前記キャラクターに関する情報を送信する
ことを特徴とする請求項１０または請求項１１に記載のキャラクターコンテンツ管理システム。
【請求項１３】
ユーザ固有の情報であるユーザ識別情報、キャラクター、及び前記ユーザと前記キャラクターとの関係を示す情報が印刷された印刷物。
【請求項１４】
コンピュータが、
ユーザ固有の情報であるユーザ識別情報を取得するステップと、
ユーザとキャラクターとの関係を設定するステップと、
前記ユーザと前記キャラクターとの関係を示す情報を記憶するステップと、
前記ユーザと前記キャラクターとの関係を示す情報を出力するステップと、
を含むことを特徴とする関係設定方法。
【請求項１５】
コンピュータを、
ユーザ固有の情報であるユーザ識別情報を取得するユーザ情報取得手段、
ユーザとキャラクターとの関係を設定する関係設定手段、
前記関係設定手段により設定された前記ユーザと前記キャラクターとの関係を示す情報を記憶する記憶手段、
前記関係設定手段により設定された前記ユーザと前記キャラクターとの関係を示す情報を出力する出力手段、
として機能させるためのプログラム。
【発明の詳細な説明】
【技術分野】
【０００１】
本発明は、関係設定装置、写真撮影装置、キャラクターコンテンツ管理システム、印刷物、関係設定方法、及びプログラムに関し、詳細には、キャラクターコンテンツ提供サービスを支援する技術に関する。
【背景技術】
【０００２】
マンガ、アニメ、ゲーム等のキャラクターの画像やグッズ等のキャラクターコンテンツを店頭やイベント会場、またはインターネットを介して販売するシステムが提案されている。例えば、非特許文献１に示す画像販売システムでは、画像ストレージを備えた管理システムに登録されたコンテンツ画像を店頭や会場に設置されたプリント端末でダウンロードして写真プリントするダウンロード販売サービスが提供されている。また、インターネットを介して注文されたフォトブックやフォトグッズの元となるコンテンツ画像を工場へ送り、フォトブックやフォトグッズを製造して注文者の元へ送るオンライン注文販売サービス等も提供されている。このように、キャラクターコンテンツは写真等の印刷物やフォトグッズ等として販売される他、ボイスデータや映像コンテンツ等の配信も活発に行われている。
【０００３】
ところで、キャラクターのファンは好きなキャラクターに対して特別の愛情を抱くことがある。例えば、あるキャラクターに対し、自分の結婚相手にしたいという願望を抱いたり、また別のキャラクターに対し自分の妹にしたいといった願望を抱いたりする。このように、ファンはキャラクターがもし現実にいたら、自分とどのような関係であるかという想像を膨らませて楽しむことがある。
【先行技術文献】
【非特許文献】
【０００４】
【非特許文献１】大日本印刷株式会社、“クラウド型画像販売ソリューション Imaging Mall”、［online］、［平成31年1月29日検索］、インターネット〈URL：http://www.dnp.co.jp/imaging/imaging-mall.html〉
【発明の概要】
【発明が解決しようとする課題】
【０００５】
しかしながら、現状のコンテンツ提供サービスでは、ファンがキャラクターに対して抱いている上述したような特別な感情に直接応えるようなサービスが充実しているとは言えない。
【０００６】
本発明は上記の問題に鑑みてなされたものであり、個々のファンがキャラクターに抱いている特別の感情に対し、コンテンツ提供事業者等がファンの要望に応えることが可能な関係設定装置、写真撮影装置、キャラクターコンテンツ管理システム、印刷物、関係設定方法、及びプログラムを提供することを目的とする。
【課題を解決するための手段】
【０００７】
前述した課題を解決するための第１の発明は、ユーザ固有の情報であるユーザ識別情報を取得するユーザ情報取得手段と、ユーザとキャラクターとの関係を設定する関係設定手段と、前記関係設定手段により設定された前記ユーザと前記キャラクターとの関係を示す情報を記憶する記憶手段と、前記関係設定手段により設定された前記ユーザと前記キャラクターとの関係を示す情報を出力する出力手段と、を備えることを特徴とする関係設定装置である。
【０００８】
第１の発明の関係設定装置によれば、ユーザとキャラクターとの関係を設定して記憶したり出力したりすることが可能となる。これにより、個々のファンがキャラクターに対して求める関係をユーザ識別情報と紐づけて記憶しておくことができるため、コンテンツ提供事業者は、ファンがキャラクターに対して抱いている特別の感情を満たすコンテンツを個々のファンにそれぞれ提供することが可能となる。これによりファンの要望に細やかに応えることが可能な関係設定装置を提供できる。
なお、キャラクターの指定を受付けるキャラクター指定手段を更に備え、関係設定手段は指定されたキャラクターとの関係を設定するようにしてもよい。
【０００９】
第１の発明において、前記関係設定手段は、前記ユーザから見た前記ユーザと前記キャラクターとの関係を第１関係情報として設定することが望ましい。また、前記関係設定手段は、更に、前記キャラクターから見た前記ユーザと前記キャラクターとの関係を第２関係情報として設定することが望ましい。更に、前記関係設定手段は、前記ユーザが任意に指定する情報を前記ユーザと前記キャラクターとの関係を示す情報に付加して設定してもよい。これにより、ユーザとキャラクターとの関係を、ユーザから見た場合、キャラクターから見た場合というようにそれぞれ柔軟に設定できる。また、例えば呼び名のようにユーザが任意に指定する情報もユーザとキャラクターとの関係を示す付加情報として設定できる。
【００１０】
また、前記出力手段は、前記ユーザと前記キャラクターとの関係を示す情報を印刷したり、電子書類として出力したり、記録媒体に書き込んだりすることが望ましい。これにより、様々な形態でユーザとキャラクターとの関係を認定、記録することが可能となる。
【００１１】
なお、前記ユーザ情報取得手段は、ユーザの顔画像を前記ユーザ識別情報として取得するものとしてもよい。例えば写真撮影装置等で撮影した顔画像をユーザ固有の情報として記録することが可能となる。
【００１２】
第２の発明は、ユーザを撮影する撮影手段と、前記撮影手段により撮影されたユーザの画像をユーザ固有の情報であるユーザ識別情報として取得するユーザ情報取得手段と、前記ユーザとキャラクターとの関係を設定する関係設定手段と、前記関係設定手段により設定された前記ユーザと前記キャラクターとの関係を示す情報を前記ユーザの画像とともに印刷する印刷手段と、を備えることを特徴とする写真撮影装置である。
【００１３】
第２の発明の写真撮影装置によれば、撮影手段により撮影したユーザの画像をユーザ固有の情報であるユーザ識別情報として取得し、該ユーザとキャラクターとの関係を設定して記憶したり、出力したりすることが可能となる。これにより、個々のファンがキャラクターに対して求める関係を写真撮影装置で入力し、ユーザ識別情報と紐づけて記憶しておくことができるため、コンテンツ提供事業者等は、ファンがキャラクターに対して抱いている特別の感情を満たすコンテンツを個々のファンにそれぞれ提供することが可能となる。また、写真撮影装置を第１の発明の関係設定装置として有効に利用できる。
【００１４】
第３の発明は、写真撮影装置と、サーバとがネットワークを介して通信接続されたキャラクターコンテンツ管理システムであって、前記写真撮影装置は、ユーザ固有の情報であるユーザ識別情報を取得するユーザ情報取得手段と、ユーザとキャラクターとの関係を設定する関係設定手段と、前記関係設定手段により設定された前記ユーザと前記キャラクターとの関係を示す情報を前記サーバに送信する送信手段と、を備え、前記サーバは、前記写真撮影装置から送信された前記ユーザと前記キャラクターとの関係を示す情報を受信し、記憶する記憶手段を備えることを特徴とするキャラクターコンテンツ管理システムである。
【００１５】
第３の発明によれば、撮影手段により撮影したユーザの画像をユーザ固有の情報であるユーザ識別情報として取得し、該ユーザとキャラクターとの関係を設定してサーバに記憶しておくことが可能となる。これにより、個々のファンがキャラクターに対して求める関係を写真撮影装置で入力し、ユーザ識別情報と紐づけてサーバに記憶しておくことができるため、コンテンツ提供事業者は、ファンがキャラクターに対して抱いている特別の感情を満たすコンテンツを提供することが可能となる。これにより、個々のファンの要望に細やかに応えることが可能なコンテンツを提供できる。また、写真撮影装置を第１の発明の関係設定装置として有効に利用できる。
【００１６】
第３の発明において、前記サーバは、ネットワークを介して通信接続されたユーザ端末に対して、前記記憶手段に記憶された前記ユーザと前記キャラクターとの関係を示す情報を送信し、電子書類として出力させる電子書類出力手段を更に備えることが望ましい。これにより、キャラクターコンテンツ管理システムのサーバはユーザとキャラクターとの関係を示す情報を電子書類としてユーザ端末に送信できる。
【００１７】
また、第３の発明において、ネットワークを介して通信接続されたサービス受付端末を更に備え、前記サービス受付端末は、印刷物から前記ユーザと前記キャラクターとの関係を示す情報を取得する取得手段と、取得した情報に基づいて、前記サーバに対して前記ユーザ及び前記キャラクターに関する情報を要求する情報取得要求手段と、を備え、前記サーバは、前記サービス受付端末からの情報取得要求に応じて前記ユーザ及び前記キャラクターに関する情報を送信することが望ましい。これにより、サービス受付端末では、印刷物に印刷された情報からユーザとキャラクターとの関係を示す情報を取得し、前記サーバから前記ユーザ及び前記キャラクターに関する情報を取得することが可能となる。これにより、ユーザがグッズ販売やコンテンツ提供サービスを利用する際、サービス受付端末は円滑にユーザとキャラクターの情報を取得して、関係に応じたサービスを提供できる。
【００１８】
第４の発明は、ユーザ固有の情報であるユーザ識別情報、キャラクター、及び前記ユーザと前記キャラクターとの関係を示す情報が印刷された印刷物である。このような印刷物をユーザに提供することで、ユーザのキャラクターに対する特別の感情を形にすることができる。また、ユーザがグッズ販売やコンテンツ提供サービスを利用する際、印刷物を提示すればユーザの要望に応えるサービスを円滑に提供できる。
【００１９】
第５の発明は、コンピュータが、ユーザ固有の情報であるユーザ識別情報を取得するステップと、ユーザとキャラクターとの関係を設定するステップと、前記ユーザと前記キャラクターとの関係を示す情報を記憶するステップと、前記ユーザと前記キャラクターとの関係を示す情報を出力するステップと、を含むことを特徴とする関係設定方法である。第５の発明により、ユーザとキャラクターとの関係を設定して記憶したり出力したりすることが可能となる。これにより、個々のファンがキャラクターに対して求める関係をユーザ識別情報と紐づけて記憶しておくことができるため、コンテンツ提供事業者は、ファンがキャラクターに対して抱いている特別の感情を満たすコンテンツを個々のファンにそれぞれ提供することが可能となるため、ファンの要望に細やかに応えることが可能となる。
【００２０】
第６の発明は、コンピュータを、ユーザ固有の情報であるユーザ識別情報を取得するユーザ情報取得手段、ユーザとキャラクターとの関係を設定する関係設定手段、前記関係設定手段により設定された前記ユーザと前記キャラクターとの関係を示す情報を記憶する記憶手段、前記関係設定手段により設定された前記ユーザと前記キャラクターとの関係を示す情報を出力する出力手段、として機能させるためのプログラムである。
【００２１】
第６の発明により、コンピュータを第１の発明の関係設定装置、第２の発明及び第３の発明の写真撮影装置の制御装置として機能させることが可能となる。
【発明の効果】
【００２２】
本発明により、個々のファンがキャラクターに抱いている特別の感情に対し、コンテンツ提供事業者等がファンの要望に応えることが可能な関係設定装置、写真撮影装置、キャラクターコンテンツ管理システム、印刷物、関係設定方法、及びプログラムを提供することが可能となる。
【図面の簡単な説明】
【００２３】
【図１】キャラクターコンテンツ管理システム１の全体構成を示す図
【図２】写真撮影装置２の外観を示す図
【図３】写真撮影装置２のハードウェア構成を示す図
【図４】制御装置２０のハードウェア構成を示す図
【図５】キャラクターデータベース３０に記憶されるキャラクター情報の例を示す図
【図６】サーバ３のハードウェア構成を示す図
【図７】ユーザ端末４のハードウェア構成を示す図
【図８】認定カード発行装置５のハードウェア構成を示す図
【図９】サービス受付端末６のハードウェア構成を示す図
【図１０】キャラクターコンテンツ管理システム１の機能構成を示すブロック図
【図１１】各ユーザが設定したキャラクターとの関係を示す情報である関係設定情報８０の例を示す図
【図１２】ユーザとキャラクターとの関係設定例（１）
【図１３】ユーザとキャラクターとの関係設定例（２）
【図１４】ユーザとキャラクターとの関係設定例（３）
【図１５】ユーザとキャラクターとの関係を示す印刷物である認定届７１の例
【図１６】ユーザとキャラクターとの関係を示す情報を記録した記録媒体である認定カード７２の例
【図１７】関係設定処理の流れを示すフローチャート
【図１８】サービス受付処理の流れを示すフローチャート
【図１９】ユーザとキャラクターとの関係を示す情報を記録した認定証７３の一例
【発明を実施するための形態】
【００２４】
以下、図面に基づいて本発明の好適な実施形態について詳細に説明する。
【００２５】
図１は本発明の実施形態に係るキャラクターコンテンツ管理システム１の全体構成を示す図である。図１に示すように、キャラクターコンテンツ管理システム１は、写真撮影装置２、サーバ３、ユーザ端末４、認定カード発行装置５、及びサービス受付端末６等がネットワーク９を介して通信接続されている。
【００２６】
写真撮影装置２は、本発明に係る関係設定装置の一実施形態であり、カメラ（撮影部２３）、プリンタ２５、及び制御装置２０を備えた装置である。写真撮影装置２は、例えば街頭に設置された証明写真の撮影ボックス等である。写真撮影装置２は撮影室内の被写体（ユーザ）を撮影してその画像を証明写真としてプリントする機能（写真撮影サービス）や、ユーザ端末４から受信した画像をプリントしたり、ユーザが予め画像サーバ（不図示）にアップロードした画像をダウンロードしてプリントする機能（画像プリントサービス）を有する。また本発明において、写真撮影装置２は、ユーザとキャラクターとの関係を示す情報を設定し、設定した関係を示す情報が印刷された印刷物を提供する機能を備える。各機能については後述する。
【００２７】
図２は写真撮影装置２の外観を示す図であり、図３は写真撮影装置２のハードウェア構成を示す図、図４は制御装置２０のハードウェア構成を示す図である。
【００２８】
写真撮影装置２は制御装置２０、表示部２１、課金部２２、撮影部２３、照明部２４、プリンタ２５、プリント物取出口２６、センサ２７、カーテン２８等を有する。なお、図１及び図２では写真撮影装置２は、ユーザが中に入って撮影を行うボックス状の外観を有する例を示したが、これに限定されず、ボックスのないオープン型の写真撮影装置２としてもよい。
【００２９】
制御装置２０は写真撮影装置２の内部に設けられ、写真撮影装置２の処理全体を制御する。図４に示すように、制御装置２０は、例えば制御部２０１、記憶部２０２、入力部２０３、通信部２０４等をバス２０５等により接続して構成したコンピュータにより実現できる。但し制御装置２０の構成はこれに限ることなく、適宜様々な構成をとることができる。
【００３０】
制御部２０１はＣＰＵ（Central Processing Unit）、ＲＯＭ（Read Only Memory）、ＲＡＭ（Random Access Memory）等から構成される。ＣＰＵは、記憶部２０２、ＲＯＭ等の記憶媒体に格納された制御装置２０の処理に係るプログラムをＲＡＭ上のワークエリアに呼び出して実行する。ＲＯＭは不揮発性メモリであり、ブートプログラムやＢＩＯＳ等のプログラム、データ等を恒久的に保持している。ＲＡＭは揮発性メモリであり、記憶部２０２、ＲＯＭ等からロードしたプログラムやデータを一時的に保持するとともに、制御部２０１が各種処理を行うために使用するワークエリアを備える。
【００３１】
記憶部２０２はハードディスクドライブやソリッドステートドライブ、フラッシュメモリ等であり、後述する処理に際し制御装置２０が実行するプログラム、プログラム実行に必要なデータ、ＯＳ等が格納される。これらのプログラムやデータは、制御部２０１により必要に応じて読み出され実行される。
【００３２】
入力部２０３は制御装置２０に各種の入力を行うものである。
通信部２０４は、ネットワーク９を介した通信を媒介する通信インターフェースであり、サーバ３やユーザ端末４、サービス受付端末６、その他のコンピュータ等との間の通信を可能とする。ネットワーク９は、ＬＡＮ（Local Area Network）や、より広域に通信接続されたＷＡＮ（Wide Area Network）、またはインターネット等の公衆の通信回線等を含む。
【００３３】
図２、３の説明に戻る。表示部２１は、写真撮影装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００３４】
課金部２２は、硬貨や紙幣の投入口、つり銭返却口、レシート取出口、レシートプリンタ等（不図示）を備え、ユーザからの課金やレシートの発行を管理する。
【００３５】
撮影部２３は、撮影窓の内側にカメラ等を設けたものである。カメラには例えば高解像度のデジタルカメラが用いられるが、これに限ることはない。
【００３６】
照明部２４は、ユーザを含む写真撮影装置２内の全体を照らす照明である。照明部２４は例えば白色の光を照射する面光源であり、撮影部２３の上部に設けられるが、これに限ることはない。なお、写真撮影装置２内には撮影時のフラッシュ用にストロボ光源も設けられる。
【００３７】
プリンタ２５は、画像等をプリント（印刷）する装置であり、写真撮影装置２の内部に設けられる。画像等をプリントした印刷物はプリント物取出口２６から排出される。プリンタ２５の方式や設置台数等は特に問わない。
【００３８】
センサ２７は、写真撮影装置２の撮影室内に入ったユーザ（被撮影者）を検知するセンサである。センサ２７は例えば赤外線センサであるが、これに限ることはない。カーテン２８は、写真撮影装置２の内部を外部から遮るものである。バス２９は、各装置間の制御信号、データ信号等の授受を媒介する経路である。
【００３９】
次に、図１のサーバ３について説明する。サーバ３は、キャラクターの画像やキャラクターの情報、及びユーザの登録情報等を管理するサーバであり、キャラクターの画像及び情報を記憶するキャラクターデータベース３０を備える。
【００４０】
キャラクターデータベース３０には、キャラクターコンテンツ管理システム１で提供されるキャラクターの画像及び情報が格納されている。具体的には、例えば図５に示すように、各キャラクターの識別情報であるキャラクターＩＤ、キャラクターの画像、キャラクター名、その他の情報が記憶される。画像は一つのキャラクターにつき複数種類記憶されていてもよい。
【００４１】
サーバ３は、キャラクターコンテンツを提供するサービスにおいて、写真撮影装置２に対してキャラクターの画像を送信したり、ユーザにより設定されるユーザとキャラクターとの関係を示す情報（関係設定情報）を登録したり、ユーザ端末４やサービス受付端末６、認定カード発行装置５等に対してサーバ３に登録されている関係設定情報８０やキャラクターの画像や情報、ユーザの画像や情報を送信する処理を実行する。サーバ３が実行する処理の詳細については後述する。
【００４２】
図６はサーバ３を構成するコンピュータのハードウェア構成例を示す図である。図６に示すように、サーバ３は、例えば制御部３１、記憶部３２、入力部３３、通信部３４、表示部３５等をバス３６により接続して構成したコンピュータにより実現できる。但し、サーバ３の構成はこれに限ることなく、適宜様々な構成をとることができる。制御部３１、記憶部３２、入力部３３、及び通信部３４の構成は、写真撮影装置２の制御装置２０の制御部２０１、記憶部２０２、入力部２０３、及び通信部２０４の構成と同様であるため重複する説明を省略する。表示部３５は、液晶パネル、ＣＲＴモニタ等のディスプレイ装置と、ディスプレイ装置と連携して表示処理を実行するための論理回路（ビデオアダプタ等）で構成され、制御部３１の制御により入力された表示用データをディスプレイ装置上に表示させる。なお、表示部３５は写真撮影装置２の表示部２１と同様に、入力部３３を兼ねたタッチパネル付ディスプレイ等でもよい。表示部３５は、ユーザの操作・選択に係る各種の画面を表示し、画面上のタッチ操作によるユーザの指示入力等を受付ける。
【００４３】
次に図１のユーザ端末４について説明する。ユーザ端末４は、ユーザが所持する情報端末であり、例えば、スマートフォン、ＰＣ、タブレット、ゲーム機等である。ユーザ端末４は、サーバ３とネットワーク９を介して通信接続可能であり、サーバ３から各種情報を取得し、表示する。例えば、ユーザとキャラクターとの関係設定情報を示す電子書類をサーバ３からダウンロードし、ユーザ端末４の表示部４５に閲覧可能に表示する。
【００４４】
図７はユーザ端末４の一例であるスマートフォンのハードウェア構成を示す図である。図７に示すように、ユーザ端末４（スマートフォン）は、例えば制御部４１、記憶部４２、入力部４３、通信部４４、表示部４５、カメラ４６、音声入出力部４７等をバス４８により接続して構成される。但し、ユーザ端末４の構成はこれに限ることなく、適宜様々な構成をとることができる。制御部４１、記憶部４２、入力部４３、及び通信部４４の構成は、写真撮影装置２の制御装置２０の制御部２０１、記憶部２０２、入力部２０３、及び通信部２０４の構成と同様であり、表示部４５は、写真撮影装置２の表示部２１の構成と同様であるため重複する説明を省略する。
【００４５】
カメラ４６は、例えばＣＣＤ（Charge Coupled Device）イメージセンサやＣＭＯＳ（Complementary Metal Oxide Semiconductor）イメージセンサなどの撮像素子を用いたカメラであり、撮像した画像を制御部４１に送出する。音声入出力部４７は、音声を制御部４１に入力するマイク及び制御部４１から入力された音声データを出力するスピーカを備える。
【００４６】
次に、図１の認定カード発行装置５について説明する。認定カード発行装置５は、キャラクターグッズの販売所等に設置され、認定カード７２を発行する装置である。認定カード７２とは、ユーザとキャラクターとの関係を示す関係設定情報８０等を記録した携帯型の記録媒体である。記録媒体には、例えばＩＣカード、ＩＣタグ、メモリカード等が利用できる。認定カード７２の表面には、ユーザの顔画像７２ａやユーザ情報７２ｂ、キャラクターの画像７２ｃ、キャラクター情報７２ｄやユーザとキャラクターとの関係を示す情報７２ｅ等が印刷されていてもよい（図１６参照）。
【００４７】
図８は認定カード発行装置５のハードウェア構成の一例を示す図である。図８に示すように、認定カード発行装置５は、例えば制御部５１、記憶部５２、入力部５３、通信部５４、表示部５５、周辺機器Ｉ／Ｆ（Interface）部５６、プリンタ５７、ＩＣカードＲ／Ｗ（Reader/Writer）５８等をバス５９により接続して構成される。但し、認定カード発行装置５の構成はこれに限ることなく、適宜様々な構成をとることができる。制御部５１、記憶部５２、入力部５３、及び通信部５４の構成は、写真撮影装置２の制御装置２０の制御部２０１、記憶部２０２、入力部２０３、及び通信部２０４の構成と同様であり、表示部５５は、サーバ３の表示部３５の構成と同様であるため重複する説明を省略する。周辺機器Ｉ／Ｆ部５６は、プリンタ５７やＩＣカードＲ／Ｗ５８等の周辺機器を接続させるためのポートである。制御部５１は、周辺機器Ｉ／Ｆ部５６を介して周辺機器とのデータの送受信を行う。周辺機器との接続形態は有線、無線を問わない。
【００４８】
プリンタ５７は、画像等を認定カード７２（記録媒体）の表面に印刷する装置である。プリンタ５７の方式や設置台数等は特に問わない。ＩＣカードＲ／Ｗ５８は、ＩＣカード（記録媒体）との間でデータの読出し及び書込みを行う。例えば、ユーザ識別情報、キャラクター識別情報、及びユーザとキャラクターとの関係設定情報等をＩＣカード内の記憶部に書き込む。なお、認定カードとしてメモリカードやＵＳＢメモリ等を利用してもよい。この場合は、認定カード発行装置５は、ＩＣカードＲ／Ｗ５８に代えてメモリカードへのデータの書込みや読込みを行うためのメモリカードスロット、またはＵＳＢポート等を備える。
【００４９】
次に、図１のサービス受付端末６について説明する。
サービス受付端末６は、キャラクターグッズの販売所やキャラクターコンテンツを提供するサービスの受付窓口等に設置されるコンピュータである。サービス受付端末６は、ユーザとキャラクターとの間で設定された関係設定情報８０を認定届７１や認定カード７２等から取得し、関係設定情報８０に応じたサービスを提供するための処理を行う装置である。認定届７１や認定カード７２等からの関係設定情報８０の取得は、オペレータが認定届７１（プリント物）に印刷されているコードを読み取ることで入力するものとしてもよいし、認定カードに記録されたデータを読み取ることで関係設定情報８０を入力するものとしてもよい。また、認定届７１や認定カード７２に印刷された情報をオペレータが目視で確認して手動入力するものとしてもよい。関係設定情報８０に応じたサービスとは、例えば、ユーザのキャラクターとの関係を示す限定グッズや限定画像の販売、或いは限定ボイスデータや映像コンテンツ等の提供を含む各種のサービスである。
【００５０】
図９はサービス受付端末６のハードウェア構成の一例を示す図である。図９に示すように、サービス受付端末６は、例えば制御部６１、記憶部６２、入力部６３、通信部６４、表示部６５、周辺機器Ｉ／Ｆ部６６、スキャナ（コードリーダ）６７、ＩＣカードＲ／Ｗ６８等をバス６９により接続して構成される。但し、認定カード発行装置５の構成はこれに限ることなく、適宜様々な構成をとることができる。制御部６１、記憶部６２、入力部６３、及び通信部６４の構成は、写真撮影装置２の制御装置２０の制御部２０１、記憶部２０２、入力部２０３、及び通信部２０４の構成と同様であり、表示部６５は、サーバ３の表示部３５の構成と同様であるため重複する説明を省略する。周辺機器Ｉ／Ｆ部６６は、スキャナ（コードリーダ）６７やＩＣカードＲ／Ｗ６８等の周辺機器を接続させるためのポートである。
【００５１】
スキャナ（コードリーダ）６７は、認定届７１に印刷された２次元コードを読み取る装置であり、読み取った情報を制御部６１に入力する。２次元コードには、少なくともユーザ識別情報が記録されている。ユーザ識別情報に加え、ユーザとキャラクターとの関係を示す関係設定情報８０が記録されていてもよい。
【００５２】
ＩＣカードＲ／Ｗ６８は、ＩＣカード（記録媒体）との間でデータの読出し及び書込みを行う。例えば、認定カード（記録媒体）に記録されているユーザ識別情報やユーザとキャラクターとの関係を示す関係設定情報８０を読み出し、制御部６１に入力する。なお、認定カードとしてメモリカードやＵＳＢメモリ等を利用する場合は、サービス受付端末６は、ＩＣカードＲ／Ｗ６８に代えてメモリカードへのデータの書込みや読込みを行うためのメモリカードスロット、またはＵＳＢポート等を備える。
【００５３】
次に、キャラクターコンテンツ管理システム１の機能構成について説明する。図１０は、キャラクターコンテンツ管理システム１の機能構成を示す図である。
【００５４】
図１０に示すように、キャラクターコンテンツ管理システム１の写真撮影装置２は、ユーザ情報取得部２１１、キャラクター指定部２１２、関係設定部２１３、出力部２１４、及び送信部２１５を備える。サーバ３は、電子書類出力部３１１、記憶部３２、送信部３１２を備える。ユーザ端末４は、電子書類表示部４１１を備え、認定カード発行装置５は、認定カード発行部５１１を備える。
【００５５】
写真撮影装置２のユーザ情報取得部２１１は、ユーザ固有の情報であるユーザ識別情報を取得する。ユーザ識別情報は、例えば、ユーザがキャラクターコンテンツ管理システム１に登録したユーザＩＤ等でもよいし、ユーザの顔画像等でもよい。顔画像の場合は、例えば、写真撮影装置２の撮影部２３で撮影したユーザの顔画像を利用できる。ユーザＩＤをユーザ識別情報として取得する場合は、写真撮影装置２の制御部２０１は、表示部２１のタッチパネルへのユーザＩＤの入力を受け付け、サーバ３に対して入力されたユーザＩＤに該当するユーザ情報（ユーザの氏名や性別等の属性情報、顔画像等）を要求しダウンロードする。
【００５６】
キャラクター指定部２１２は、ユーザから入力される指示に従い、キャラクターの指定を受付ける。写真撮影装置２は、サーバ３のキャラクターデータベース３０に記憶されている複数のキャラクターの画像や情報（例えば、キャラクターの名前等）を定期的に取得して記憶部２０２に保持しておき、写真撮影装置２においてユーザがキャラクターコンテンツメニューを選択すると、表示部２１に複数のキャラクター（キャラクターの画像や名前等、ユーザがキャラクターを識別できる情報）を選択可能に表示してユーザによるキャラクターの指定を受け付ける。
【００５７】
関係設定部２１３は、ユーザから入力される指示に従い、ユーザとキャラクター指定部２１２により指定されたキャラクターとの関係の設定を受け付ける。関係とは、（１）ユーザから見たユーザとキャラクターとの関係（第１関係情報Ｕ２）、（２）キャラクターから見たユーザとキャラクターとの関係（第２関係情報Ｃ２）、（３）第１または第２関係情報に加えて、ユーザが任意に指定する情報（付加情報Ｃ３）を含む。
【００５８】
図１１は、ユーザとキャラクターとの関係を示す情報である関係設定情報８０の例を示す図である。
図１１において、Ｕ１はユーザ識別情報であり、ユーザＩＤやユーザの顔画像等である。Ｃ１はキャラクター識別情報であり、キャラクターＩＤやキャラクター画像である。図１１ではキャラクター画像が示されているが、キャラクターの名前等のキャラクターを識別できる情報であってもよい。Ｕ２は、ユーザから見たユーザとキャラクターとの関係（第１関係情報）を示す情報であり、例えば、「妹」、「姉」、「彼女」、「娘」、「結婚相手」、「兄」、「弟」、「彼氏」、「息子」等である。Ｕ３はユーザの性別等の属性情報である。Ｃ２は、キャラクターから見たユーザとキャラクターとの関係（第２関係情報）を示す情報であり、「兄」、「弟」、「彼氏」、「父」、「結婚相手」、「妹」、「姉」、「彼女」、「母」等である。Ｃ２はユーザが任意に設定してもよいし、Ｕ２及びＵ３の情報に応じて関係設定部２１３が設定してもよい。例えば、Ｕ２の情報が「妹」でＵ３の情報が「男性」であれば、Ｃ２は「兄」のように決定される。各ユーザの関係設定情報８０は、写真撮影装置２にて設定されてサーバ３に送信され、サーバ３の記憶部３２に記憶される。
【００５９】
関係設定部２１３は、ユーザ識別情報Ｕ１とキャラクター識別情報Ｃ１との間に、図１２に示すように、少なくとも第１関係情報Ｕ２（ユーザから見たユーザとキャラクターとの関係）の設定を受け付ける。このとき、「Ｕ１−Ｕ２−Ｃ１」がユーザとキャラクターとの関係を示す。
【００６０】
また、更に関係設定部２１３は、第１関係情報Ｕ２（ユーザから見たユーザとキャラクターとの関係）に加え、図１３に示すように、第２関係情報Ｃ２（キャラクターから見たユーザとキャラクターとの関係）の設定を受け付けてもよい。なお、ユーザの属性情報（性別）Ｕ３を入力すれば、Ｕ２とＵ３の値から第２関係情報Ｃ２が決定されるようにしてもよい。このとき、「Ｕ１−Ｕ２−（Ｕ３）−Ｃ１−Ｃ２」がユーザとキャラクターとの関係を示す。
【００６１】
また、関係設定部２１３は、第１関係情報Ｕ２に加え、ユーザが任意に指定する情報（付加情報）Ｃ３を上述のユーザとキャラクターとの関係を示す情報に付加して設定してもよい。例えば、図１４に示すように、ユーザが指定したユーザの呼び名「Ｋちゃん」や「Ｔくん」等を付加情報Ｃ３として設定することができる。このとき、「Ｕ１−Ｕ２−Ｃ１−Ｃ３」がユーザとキャラクターとの関係を示す。
【００６２】
図１０の説明に戻る。
出力部２１４は、関係設定部２１３により設定されたユーザとキャラクターとの関係を示す情報（第１関係情報Ｕ２、第２関係情報Ｃ２、付加情報Ｃ３等）を出力する。出力の形態としては、例えば、ユーザとキャラクターとの関係を示す情報を含む印刷物（認定届７１や認定証７３）の印刷、サーバ３への送信（保存）等である。
【００６３】
図１５は、印刷物である認定届７１の例を示す図である。図１５に示すように、認定届７１には、写真撮影装置２で撮影したユーザの画像７１ａ、写真撮影装置２で入力したユーザの氏名や登録ユーザＩＤ等のユーザの情報７１ｂ、キャラクター指定部２１２でユーザにより指定されたキャラクターの画像７１ｃ、キャラクターＩＤ、キャラクターの氏名等のキャラクターの情報７１ｄが印刷される。また、ユーザとキャラクターとの関係を示す情報７１ｅが、画像の近傍や「俺の妹届」のように印刷される他、ＱＲコード（登録商標）等の２次元コードの形態で印刷される。２次元コードには、ユーザとキャラクターとの関係を示す情報７１ｅ（Ｕ２、Ｃ２、Ｃ３等）が記録されていてもよいし、そのユーザについての関係設定情報８０の記録先の情報（サーバ３の記憶部３２の該当するファイルのＵＲＬ）が記録されていてもよい。認定届７１は、ユーザがグッズ販売を利用する際にサービス受付で提示することで限定グッズの購入や特定のサービスを受けられるといった運用方法が考えられる。
【００６４】
図１０の説明に戻る。
送信部２１５は、関係設定部２１３により設定されたユーザとキャラクターとの関係を示す情報（関係設定情報８０）をサーバ３に送信する。
【００６５】
サーバ３は、写真撮影装置２の送信部２１５から送信された関係設定情報８０を受信すると、記憶部３２に記憶する（図１１参照）。
【００６６】
サーバ３の電子書類出力部３１１は、ユーザ端末４からの要求に応じて、該当するユーザの関係設定情報８０を記憶部３２から読み出し、所定のフォーマットでレイアウトした電子書類としてユーザ端末４に送信する。電子書類は、印刷物である認定届７１（図１５）と同様の情報を所定のフォーマットで出力したものである。ユーザ端末４の電子書類表示部４１１は、サーバ３に対して電子書類の取得を要求し、サーバ３からユーザとキャラクターとの関係設定情報８０が記された電子書類を受信して表示部４５に表示する。電子書類は、印刷物の認定届７１と同様に、ユーザがグッズ販売を利用する際にサービス受付で提示することで限定グッズの購入や特定のサービスを受けられるといった運用方法が考えられる。
【００６７】
サーバ３の送信部３１２は、サービス受付端末６または認定カード発行装置５からの要求に応答して記憶部３２から該当するユーザの関係設定情報８０を読み出し、サービス受付端末６または認定カード発行装置５に送信する。認定カード発行装置５の認定カード発行部５１１は、サービス受付端末６またはサーバ３から送信される関係設定情報８０を受信してＩＣカード等の記憶媒体に関係設定情報８０を書込み、また表面にユーザの画像や氏名、キャラクターの画像や氏名、「俺の妹カード」等の関係を示す情報を印刷して認定カード７２を発行する。
【００６８】
サービス受付端末６は、ユーザがオペレータに提示した認定届７１から読み取った情報に基づいてサーバ３からユーザとキャラクターとの関係設定情報８０を取得し、サービス受付端末６の表示部６５に表示して、グッズ販売等のサービスを受け付けるための本人認証を行ったり、認定カード７２の発行や認定証７３（図１９参照）の印刷のための手続きを行ったりする。
【００６９】
次に、図１５を参照しながら本実施形態のキャラクターコンテンツ管理システム１における処理の流れを説明する。
【００７０】
写真撮影装置２は、定期的にサーバ３からキャラクターデータを受信している。サーバ３は、キャラクターデータベース３０に記憶されている複数のキャラクターの画像や情報を写真撮影装置２に送信する（ステップＳ１０１、ステップＳ１０２）。写真撮影装置２は、受信した複数のキャラクターデータを記憶部２０２に記憶する。
【００７１】
写真撮影装置２は、ユーザの入室をセンサ２７により検知するとメニュー画面を表示部２１に表示する。ユーザがメニュー画面からキャラクターコンテンツサービスメニューを選択すると、制御部２０１は、まずキャラクター選択画面を表示部２１に表示する（ステップＳ１０３）。キャラクター選択画面には記憶部２０２に記憶されている複数のキャラクターの画像や氏名等の情報が選択可能に表示される。キャラクター選択画面においてユーザが所望のキャラクターを指定すると（ステップＳ１０４）、次に、写真撮影装置２は、ユーザＩＤの入力を受け付ける（ステップＳ１０５）。ユーザＩＤは例えば、キャラクターコンテンツ管理システム１への登録時に発行されたユーザＩＤとしてもよいし、キャラクターのファンクラブの会員番号等を利用してもよい。ユーザＩＤが登録されていない場合は、そのまま次のステップへ移行する。
【００７２】
次に、写真撮影装置２はユーザの撮影を行う（ステップＳ１０６）。撮影により得たユーザの画像とステップＳ１０５で入力されたユーザＩＤはユーザ識別情報Ｕ１として記憶部２０２に保持される。ユーザＩＤが入力されていない場合は、新規ユーザとしてユーザＩＤを発行し、ユーザの画像とともにユーザ識別情報Ｕ１として記憶部２０２に保持する。
【００７３】
次に、写真撮影装置２は、ユーザとキャラクターの関係の設定を受け付ける（ステップＳ１０７）。ステップＳ１０７では、少なくともユーザから見たユーザとキャラクターとの関係（第１関係情報Ｕ２）の設定を受け付ける。このとき、写真撮影装置２は、例えば、「姉」、「妹」、「彼女」、…といった選択肢を表示部２１に表示してもよい。更に写真撮影装置２は、キャラクターから見たユーザとキャラクターとの関係（第２関係情報Ｃ２）や、ユーザが任意に指定する付加情報Ｃ３の設定を受け付けることが望ましい。また、ユーザの性別情報Ｕ３の入力を受け付け、入力された性別情報Ｕ３と第１関係情報Ｕ２（ユーザから見たユーザとキャラクターとの関係）とから第２関係情報Ｃ２（キャラクターから見たユーザとキャラクターとの関係）を求めてもよい。
【００７４】
ユーザとキャラクターとの関係が設定されると、写真撮影装置２は、設定された関係設定情報（Ｕ２、Ｕ３、Ｃ２、Ｃ３）をユーザＩＤ及び撮影画像（ユーザ識別情報Ｕ１）、指定されたキャラクターの情報（キャラクター識別情報Ｃ１）とともにサーバ３に送信する。
【００７５】
サーバ３は、写真撮影装置２から関係設定情報（Ｕ２、Ｕ３、Ｃ２、Ｃ３）、ユーザＩＤ及び撮影画像（ユーザ識別情報Ｕ１）、及び指定されたキャラクターの情報（キャラクター識別情報Ｃ１）を受信すると、これらの情報を紐づけて関係設定情報８０として記憶部３２に登録する（ステップＳ１１０）。
【００７６】
写真撮影装置２では、ユーザとキャラクターとの関係を示す情報（２次元コード７１ｅ等）を含む印刷物（認定届７１）を印刷する（ステップＳ１１１）。ユーザは印刷物を受け取って保管する。なお、ユーザは２次元コード７１ｅをユーザ端末４で読み取り、サーバ３にアクセスすることで、ユーザ端末４から認定届７１と同様の情報を記した電子書類を受け取り、表示部４５に表示させることができる。
なお、上述の処理の流れは一例であり、適宜変更可能である。例えば、キャラクターを指定するステップ（ステップＳ１０４）を省き固定のキャラクターについての関係設定を行うようにしてもよい。その場合は、ステップＳ１０３においてキャラクター選択画面に代えて対象のキャラクターの画像や氏名等の情報を表示部４５に表示させる。または、ユーザが所望するタイミングで対象のキャラクターを表示できるようにすることが望ましい。
【００７７】
次に、実際にユーザがサービスを利用する際の処理の流れについて図１６を参照しながら説明する。
ユーザは写真撮影装置２で出力した印刷物（認定届７１）またはユーザ端末４に表示した電子書類をグッズの販売所等に設置されたサービス受付端末６で提示する。サービス受付端末６のオペレータは印刷物（認定届７１）または電子書類の２次元コード７１ｅをコードリーダ６７で読み取る（ステップＳ２０１）。２次元コード７１ｅには、ユーザとキャラクターとの関係を示す関係設定情報（第１関係情報Ｕ２、性別情報Ｕ３、第２関係情報Ｃ２、付加情報Ｃ３等）の記録先の情報（サーバ３の記憶部３２に記憶された該当ファイルのＵＲＬ）が記録されているものとする。サービス受付端末６は、２次元コードから読み取った情報に基づいてサーバ３からユーザやキャラクターの情報（画像や氏名等の情報）及び関係設定情報８０を取得する（ステップＳ２０２）。
【００７８】
認定カード７２や認定証７３を発行する際は、サービス受付端末６は、読み取った情報を認定カード発行装置５に送信する（ステップＳ２０３）。
【００７９】
認定カード発行装置５は、サービス受付端末６からユーザ及びキャラクターの情報、ユーザとキャラクターとの関係設定情報８０を受信する（ステップＳ２０４）、認定カード発行装置５は、受信した情報に基づいて、認定カード７２や認定証７３を発行する。認定カード７２を発行する場合は、認定カード発行装置５はカード面に印刷するための画像データを生成し、プリンタ５７でカード面の印刷を行う。また、ＩＣカードＲ／Ｗ５８を用いて認定カード７２（ＩＣカード）の記憶部にユーザ識別情報Ｕ１、キャラクター識別情報Ｃ１、第１関係情報Ｕ２、性別情報Ｕ３、第２関係情報Ｃ２、及び付加情報Ｃ３を書き込んだり、これらの情報の記録先の情報（サーバ３の記憶部３２に記憶された該当ファイルのＵＲＬ）を書き込んだりする。
【００８０】
また、認定証７３を発行する場合は、認定カード発行装置５は、認定証７３に印刷するためのデータ（ユーザの情報やキャラクターの情報）の他、ユーザとキャラクターとの人物相関を表す画像をサーバ３から受信して、認定証７３の印刷を行う。
【００８１】
図１９は、認定証７３の例を示す図である。図１９に示すように、認定証７３には、「俺」欄にユーザの画像７３ａやユーザＩＤや氏名等のユーザ情報７３ｂが印刷される。また、ユーザから見たキャラクターの関係を示す「妹」欄にキャラクターの画像７３ｃとキャラクターＩＤやキャラクターの氏名等のキャラクター情報７３ｄが印刷される。更に、認定証７３には、指定キャラクターの別の画像７３ｅ、７３ｆ、７３ｇが複数印刷されるようにしてもよいし、該キャラクターを取り巻く別のキャラクターを人物相関図のように印刷してもよい。
【００８２】
以上説明したように、本実施形態のキャラクターコンテンツ管理システム１は、ユーザとキャラクターとの関係の設定を受け付け、その関係を示す印刷物や電子書類等を出力してユーザに提供したり、サーバ３に関係設定情報８０を登録したりする。これらの印刷物や電子書類、或いは登録された関係設定情報８０を用いることにより、ユーザは指定したキャラクターと特定の関係であることの認定を受けることができる。更に、この認定を利用して、ユーザはキャラクターコンテンツ提供事業者から特別のサービスを受けることができる。例えば、グッズ販売所で認定届７１等を提示することで限定グッズの販売や限定ボイスデータや特典映像コンテンツといった特別のサービスを受け取ることができる。このように、ユーザがキャラクターに対して抱く特別な感情を適切な形にしたコンテンツを提供できるため、満足度の高いサービスを提供できるようになる。
【００８３】
なお、上述の実施形態では、写真撮影装置２を本発明の関係設定装置の例として説明したが、本発明の関係設定装置は写真撮影装置２に限定されない。例えば、パーソナルコンピュータを図１０に示すユーザ情報取得部２１１、キャラクター指定部２１２、関係設定部２１３、及び出力部２１４として機能させることで本発明の関係設定装置を実現することができる。また、上述の実施形態では、複数のキャラクターの中から好きなキャラクターを指定してユーザとキャラクターとの関係を設定する例を示したが、本発明はこの例に限定されるものではなく、特定のキャラクターに限定してユーザとキャラクターの関係を設定するものとしてもよい。その場合は、図１０のキャラクター指定部２１２や、図１７のキャラクター指定ステップ（Ｓ１０４）は不要である。
【００８４】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８５】
１・・・・・キャラクターコンテンツ管理システム
２・・・・・写真撮影装置
３・・・・・サーバ
４・・・・・ユーザ端末
５・・・・・認定カード発行装置
６・・・・・サービス受付端末
９・・・・・ネットワーク
２０・・・・制御装置
２１・・・・表示部
２２・・・・課金部
２３・・・・撮影部
２４・・・・照明部
２５・・・・プリンタ
２６・・・・プリント物取出口
２７・・・・バス
２８・・・・カーテン
２９・・・・センサ
３０・・・・キャラクターデータベース
３１、４１、５１、６１・・・・制御部
３２、４２、５２、６２・・・・記憶部
３３、４３、５３、６３・・・・入力部
３４、４５、５４、６４・・・・通信部
３５、４４、５５、６５・・・・表示部
４６・・・・カメラ
４７・・・・音声入出力部
５６、６６・・・・周辺機器Ｉ／Ｆ部
５７・・・・プリンタ
５８、６８・・・・ＩＣカードＲ／Ｗ
６７・・・・スキャナ（コードリーダ）
７１・・・・認定届
７２・・・・認定カード
７３・・・・認定証
７１ａ、７２ａ、７３ａ・・・・ユーザの画像
７１ｂ、７２ｂ、７３ｂ・・・・ユーザ情報
７１ｃ、７２ｃ、７３ｃ・・・・キャラクターの画像
７１ｄ、７２ｄ、７３ｄ・・・・キャラクター情報
７１ｅ・・・・ユーザとキャラクターとの関係を示す情報（２次元コード）
７２ｅ・・・記憶部（ＩＣチップ）
８０・・・・関係設定情報
２１１・・・ユーザ情報取得部
２１２・・・キャラクター指定部
２１３・・・関係設定部
２１４・・・出力部
２１５・・・送信部
３１１・・・電子書類出力部
３１２・・・送信部
４１１・・・電子書類表示部
５１１・・・認定カード発行部
Ｃ１・・・・キャラクター識別情報
Ｃ２・・・・第２関係情報（キャラクターから見たユーザとキャラクターとの関係を示す情報）
Ｃ３・・・・付加情報
Ｕ１・・・・ユーザ識別情報
Ｕ２・・・・第１関係情報（ユーザから見たユーザとキャラクターとの関係を示す情報）
Ｕ３・・・・性別情報
【図１】
2020181376.tif 000003
【図２】
2020181376.tif 000004
【図３】
2020181376.tif 000005
【図４】
2020181376.tif 000006
【図５】
2020181376.tif 000007
【図６】
2020181376.tif 000008
【図７】
2020181376.tif 000009
【図８】
2020181376.tif 000010
【図９】
2020181376.tif 000011
【図１０】
2020181376.tif 000012
【図１１】
2020181376.tif 000013
【図１２】
2020181376.tif 000014
【図１３】
2020181376.tif 000015
【図１４】
2020181376.tif 000016
【図１５】
2020181376.tif 000017
【図１６】
2020181376.tif 000018
【図１７】
2020181376.tif 000019
【図１８】
2020181376.tif 000020
【図１９】
2020181376.tif 000021